(57)【特許請求の範囲】
【請求項１】
巻き取る方向に応力受け、回転軸（５）を有する大歯車（２）と同軸に接続される巻付けドラム（９）を支持するハウジング（１）と、
大歯車（２）の一方向への回転を制止するように構成されたストッパー（８）を具備した逆転防止装置であって、大歯車（２）と噛み合う小歯車（３）によって形成され、小歯車が軸（４）を有し、軸（４）が大歯車の回転軸（５）に対してほぼ同軸に延びるハウジング（１）における少なくとも一つの案内部（６）に、移動可能に配置された逆転防止装置と、
小歯車（３）またはそれと接続された歯止（７）であって、軸（４）の終端位置で、ハウジング固定ストッパー（８）に対して密着するが、軸（４）が反対方向に移動すると自由に回転可能な状態に保持される小歯車（３）またはそれと接続された歯止（７）および、
バネ（８）の力に対して、逆方向に作用させてストッパー（８）を小歯車（３，３ａ）から離すように作用する手段を備えることを特徴とする犬用ひも巻取り装置。
【請求項２】
ストッパー（８）を摺動部（１５）に備え、摺動部（１５）がハウジング（１）から部分的に突出し、案内部（１６，１７）により、バネ（１８）の力に対して、係止位置から小歯車（３，３ａ）の解放位置へ移動可能に配置されたことを特徴とする請求項１に記載の犬用ひも巻取り装置。
【請求項３】
軸（４）を手により移動させるため、軸（４）がハウジング（１）の案内部（６）から外へ突出することを特徴とする請求項１に記載の犬用ひも巻取り装置。
【請求項４】
互いに並行配置された二つの大歯車（２、２ａ）と、それに対応する互いに並行配置した二つの小歯車（３、３ａ）が、歯止（７）を備えたシリンダー（１０）によって、互いに接続されることを特徴とする請求項１〜３のいずれか一項に記載の犬用ひも巻取り装置。
【請求項５】
小歯車（３）または両方の小歯車（３、３ａ）が簡単に回転しないようにバネ（１１）が配置されることを特徴とする請求項１〜４のいずれか一項に記載の犬用ひも巻取り装置。
【請求項６】
手操作可能な歯止摺動部（１９）が、ストッパー（８）を備えた摺動部（１５）を、小歯車（３、３ａ）を開放する位置で動かないようにするため、ハウジング（１）に配置されることを特徴とする請求項１〜５のいずれか一項に記載の犬用ひも巻取り装置。
【請求項７】
小歯車（３、３ａ）及び大歯車（２、２ａ）が個々に、側面に歯（２３、２４；２７、２８）が接合された円板（２１、２２；２５、２６）を備えることを特徴とする請求項１〜６のいずれか一項に記載の犬用ひも巻取り装置。
【発明の詳細な説明】
【０００１】
（技術分野）
本発明は、犬用ひもの巻取り装置に関するものであり、巻取り装置はハウジングに、巻き付け時に引っ張る巻付けドラムを配置し、巻付けドラムが大歯車と同軸に接続され、ハウジング固定ストッパーを備えた逆転防止装置が、大歯車を回転方向に動かさないために備えられる。
【０００２】
（背景技術）
従来技術による犬用ひも巻取り装置は、米国特許ＵＳ  ３，６９３，５９６の本題である。本題である。その場合の記載により、犬用ひもの巻取り装置が二つの反対に作用する逆転防止装置が開示されており、ハンドル操作によって、選択的に作用させることができる。
【０００３】
逆転防止装置は、バネ状歯止を各々備えており、大歯車が回転する際に噛み合わさるが、別の方向に回転する際には噛み合わせにより騒音を起こす。その様な歯止機構の欠点は、回転方向を解放した場合、歯止機構が噛み合わせにより騒音を起こし、それが犬用ひも巻取り装置の場合に相当わずらわしい。更に噛み合わせによる歯止機構の騒音によって、大歯車と歯止機構の摩損を生じさせる。それによって歯止機構を具備した犬用ひも巻取り装置の場合、歯止機構の磨耗を克服することができように、逆転防止バネは相対的に強くなければならなく、そのため犬用ひも巻取り装置が、不都合なほど重くなる。
【０００４】
また欧州特許出願公開明細書EP 0 488 074 A1は、既に電気ケーブル用のケーブルドラムを示しており、逆転防止装置が摩擦車を備えており、その軸は摩損するように保持されて、回転方向変更の際に摩擦車は、押しボタンを押し下げない限り、ケーブルドラム停止位置に、強制的に配置される。
【０００５】
本発明の課題は、従来技術による犬用ひも巻取り装置を、できるだけ僅かな騒音で、磨耗を少なくして動作させ、そして可能な限り摩損を少なくさせるように、発展させることである。更に犬用ひもが偶然にほどける可能性を、なくさなければならない。
【０００６】
それら課題は、本発明により、軸を有し、大歯車と噛み合う小歯車によって、逆回転防止装置形成し、前記軸が、大歯車の回転軸とほぼ同軸に延びる少なくとも一つの、ハウジングの案内部に移動可能に配置し、小歯車またはそれと接続された歯止を、軸の終端位置で、ハウジング固定ストッパーに対して密接し、またそれと逆の位置では、移動可能な軸が、自由に回転可能に保持すること、ストッパーと小歯車を分離するためバネの力に対して作用する手段を備えること、によって解決される。
【０００７】
その様な犬用ひも巻取り装置の場合は、小歯車は大歯車の回転方向に自由回転することができる。従って騒音を引き起こすことなく、摩損を大きくしない。回転方向を変えると、歯止がハウジング固定ストッパーに対して配置し、大歯車を確実に止める様な位置に小歯車の軸が動く。従来の騒音を発していた犬用ひも巻取り装置による歯止原理は、ボタンを押すことによって歯止作用が実行され、方向転換されるものであった。犬を連れている人は、本発明による犬用ひも巻取り装置のグリップを掴むだけで、ひもが巻付けドラムから確実に解けないようにすることができる。犬を連れている人がその犬の動きを更に拘束するため、その人は摺動部をバネの力と逆に摺動させる必要がある。本発明により確実に、犬が突然飛び掛ることのないように、犬を連れている人から離れることがないようにできる。加えて本発明による犬用ひも巻取り装置は、犬を呼び寄せるために、犬を連れている人は手によって持った部分を、犬の方向に繰り返し向けて、再び戻すように動かす必要があるだけという利点がある。その際、人が押しボタンを操作する必要なく、それに対応してひもが巻かれ、再び解けることはない。
【０００８】
（発明の開示）
構造的に特に簡単な実施形態は、ストッパーが摺動部に備えられており、摺動部はハウジングから部分的に突出し、案内部によりばねの力に対して、係止位置から小歯車解放位置へ摺動可能に配置される。
【０００９】
また手動によって摺動させるため、軸をハウジングの案内部から外へ突出させることが可能である。
【００１０】
強い力が犬用巻取り装置に作用すると、本発明の別の実施形態は有利であり、その実施形態は互いに並行配置した二つの大歯車と、それに対応して互いに並行配置した小歯車を有し、小歯車が歯止を具備したシリンダーによって、互いに接続される。それによって、人が大歯車の相互間隔に対応した幅広の歯止及び、対応する幅広のストッパーに関して空間を得て、係止位置で特に強い力に耐えることができ、歯止が高速でストッパーに当たっても、歯止は壊れない。
【００１１】
ストッパーを備えた摺動部をブロックするため、ハウジングに手操作可能な歯止摺動部を、小歯車を解放する位置に配置すると、偶発的にひもがほどけるのを防止する安全機能を、一次的にとめることができる。
【００１２】
本発明の別の実施形態によると、大歯車及び小歯車が、個々にその歯の一側に、歯と前面で接続可能な円板を備えると、大歯車及び小歯車の歯は、特に大きな力に耐えることができる。
【００１３】
（発明を実施するための最良の形態）
本発明を更に明確にするため、添付図面を参照して明らかにする。
【００１４】
図１は、大歯車２とそれに噛み合った小歯車３を備えたハウジング１を示している。小歯車３は軸４を有し、その軸は大歯車２の回転軸５に対して同軸に延びる案内部６において、移動可能に配置されている。小歯車３は歯止７により回転を固定するように接続され、歯止は軸４の示されている位置で、ハウジング固定ストッパー８に届くことができる。
【００１５】
大歯車２は時計回りに回転して、軸４は案内部６を図１を見て右方向へ動くと、歯止７がもはやストッパー８に対して届かないようになる。またその後に、大歯車２の回転方向が、時計回りと反対になると、再び小歯車が図示のように位置して、そこで小歯車３が止まり、それによって大歯車も止まる。
【００１６】
図２は、二つの大歯車２、２ａが巻付けドラム９の側部に形成されている。それに対応して、その実施形態には二つの小歯車３、３ａを備えている。歯止７は図２によると、小歯車３と３ａとの間のシリンダー１０に備えられている。バネ１１は、小歯車３、３ａが簡単に回転しないようにしており、軸４の移動は図１に示された案内部６で行われる。
【００１７】
図３は、犬用ひもの巻取り装置１２を示しており、ハウジング１が巻付けドラム９及び小歯車３を備えた歯車室１３を備えている。外見上、ハウジング１にグリップ１４が形成されている。ハウジング１から、ストッパー８を備えた摺動部１５の端部が外に向かって突出している。示されている位置では、ストッパー８が、小歯車３の歯止７の翼円（Flugkreise）の外に、備えられている。
【００１８】
案内部１６、１７は、摺動部１５を固定した状態で傾斜し、ハウジングから外方へ動かすことができ、それによってストッパー８が歯止７の翼円に達する。バネ１８は、示されていない係止位置で摺動部１５に応力を加える。示されている位置において、ハウジング１の外側に備えられ、手で移動可能な歯止摺動部１９が、摺動部１５にはまり込み、摺動部１５は更に外方へ動くことができないようにしている。
【００１９】
同様に図３は、ひも２０の一部分を示しており、その自由端部には犬がつながれている。示されている摺動部１５の位置では、巻付けドラム９が両方向に自由に回転することができ、犬はひも２０の長さに対応して自由に走ることができる。
【００２０】
人が歯止摺動部１９を戻すと、摺動部１５がバネ１８によって傾斜して、上方へ移動し、それにより歯止７の翼円に届く。それによってひも２０をそれ以上解けないようにする。人が犬にもっと動く空間を与えようとするなら、手で摺動部１５を示されている位置に押さなければならない。また図１に概略的に示された小歯車が、案内部６において移動し、ひも２０を解く際にストッパー８から離れて、摺動部１５の位置に依存しないで、巻付けドラム９を解くことができる。
【００２１】
図４は、犬用ひも巻取り装置１２のハウジング１のように、両方の大歯車２、２ａを具備した巻付けドラム９と、小歯車３、３ａを具備したシリンダー１０を配置しているのを示している。シリンダー１０が二つのフランジ形円板２１、２２を有し、円板の外側に小歯車３、３ａの歯２３、２４が形成されている。それに対応して、大歯車２、２ａが円板２５、２６を有し、円板の内側に歯２７、２８が形成されている。それらの円板２１、２２、２５、２６は、歯２３、２４、２７、２８の固定力を高める。
【００２２】
図５による断面図は、シリンダー１０が角度１８０°で対置して放射状外向きに延びる二つの歯止７、７ａを有している。それらの歯止７、７ａは各々、一方の側に一つの垂直な側面２９、３０を有しており、各々別の側面に歯止７、７ａの放射状最外端部に向かって急傾斜した歯側３１、３２を有している。それによって歯止７、７ａが時計方向に回転する際は、ストッパー８によって止められ、また反時計方向に回転する場合は、ストッパー８を押しのける。
【００２３】
図５及び図７は、シリンダー１０の外観を補足的に明らかにしたものであり、両方の小歯車３、３ａ、円板２１、２２、及び歯２３、２４を具備している。
【図面の簡単な説明】
【図１】  本発明による犬用ひも巻取り装置の歯車組立体の概略的側面図。
【図２】  図１による歯車組立体の断面図。
【図３】  犬用ひも巻取り装置の概略的側面図であり、歯車組立体内部の一部分が見えるように示している。
【図４】  犬用ひも巻取り装置の縦断面図。
【図５】  歯車組立体の小歯車の横断面図。
【図６】  小歯車の側面図。
【図７】  小歯車の縦断面図。
【図１】
0003870392.tif 000002
【図２】
0003870392.tif 000003
【図３】
0003870392.tif 000004
【図４】
0003870392.tif 000005
【図５】
0003870392.tif 000006
【図６】
0003870392.tif 000007
【図７】
0003870392.tif 000008